(57)【要約】【課題】  一つのレーザー照射装置から複数の平行ビーム光を照射させることができる経済的なレーザー墨出器を提供する。【解決手段】  一つのレーザー照射装置１から照射されたレーザー光束をコリメーターレンズ２に通して平行ビーム光にし、該平行ビーム光はその光路に設置されたビームスプリッター３によって透過平行ビーム光ａと反射平行ビーム光ｂに分光され、透過平行ビーム光ａはその光路に設置された第一シリンドリカルレンズ４によって扇型の光面になって前方の投影面にライン光ｅとして照射され、反射平行ビーム光ｂはその光路に設置された反射鏡５によって投影面と同じ方向に反射させ反射平行ビーム光ｂ１とされ、該反射平行ビーム光ｂ１はその光路に設置された第二シリンドリカルレンズ６によって直交する扇型の光面になって投影面にライン光ｆとして照射される。【選択図】    図１
0003121696.tif 000002
【実用新案登録請求の範囲】
【請求項１】
１体のボディーに駆動電源が内蔵されたレーザー照射装置と、該レーザー照射装置から照射されたレーザー光束を平行ビーム光にするコリメーターレンズと、該コリメーターレンズからの平行ビーム光を扇形光面として前方の投影面にライン状に照射するシリンドリカルレンズと、を備えたレーザー墨出器において、
該レーザー墨出器には、前記コリメーターレンズからの平行ビーム光を透過平行ビーム光と反射平行ビーム光とに分光する第一ビームスプリッターと、前記反射平行ビーム光を反射させる反射鏡と、前記シリンドリカルレンズとして第一シリンドリカルレンズと該第一シリンドリカルレンズと９０度の位置関係に設置される第二シリンドリカルレンズと、をさらに備え、
前記レーザー照射装置から照射されたレーザー光束を前記コリメーターレンズに通して平行ビーム光にし、該平行ビーム光はその光路に設置された前記ビームスプリッターによって透過平行ビーム光と反射平行ビーム光とに分光され、前記透過平行ビーム光はその光路に設置された前記第一シリンドリカルレンズによって扇型の光面になって前方の投影面に照射される一方、前記反射平行ビーム光はその光路に設置された前記反射鏡によって前記投影面と同じ方向に反射させ反射平行ビーム光とされ、該反射平行ビーム光はその光路に設置された前記第二シリンドリカルレンズによって前記第一シリンドリカルレンズによる扇型の光面と直交する扇型の光面になって前記投影面に照射されることを特徴とするレーザー墨出器。
【請求項２】
１体のボディーに駆動電源が内蔵されたレーザー照射装置と、該レーザー照射装置から照射されたレーザー光束を平行ビーム光にするコリメーターレンズと、該コリメーターレンズからの平行ビーム光を扇形光面として前方の投影面にライン状に照射するシリンドリカルレンズと、を備えたレーザー墨出器において、
該レーザー墨出器には、前記コリメーターレンズからの平行ビーム光を透過平行ビーム光と反射平行ビーム光とに分光する第一ビームスプリッターと、該第一ビームスプリッターによって分光された反射平行ビーム光をさらに透過平行ビーム光と反射平行ビーム光とに分光する第二ビームスプリッターと、前記シリンドリカルレンズとして第一シリンドリカルレンズと該第一シリンドリカルレンズと９０度の位置関係に設置される第二シリンドリカルレンズと、をさらに備え、
前記レーザー照射装置から照射されたレーザー光束を前記コリメーターレンズに通して平行ビーム光にし、該平行ビーム光はその光路に設置された前記第一ビームスプリッターによって透過平行ビーム光と反射平行ビーム光とに分光され、前記透過平行ビーム光はその光路に設置された前記第一シリンドリカルレンズによって扇型の光面になって前方の投影面に照射される一方、前記反射平行ビーム光はその光路に設置された前記第二ビームスプリターによって第二透過平行ビーム光と前記投影面と同じ方向に反射させた第二反射平行ビーム光とに分光され、該第二反射平行ビーム光はその光路に設置された前記第二シリンドリカルレンズによって前記第一シリンドリカルレンズによる扇型の光面と直交する扇型の光面になって前記投影面に照射されることを特徴とするレーザー墨出器。
【請求項３】
請求項２記載のレーザー墨出器において、該レーザー墨出器には、補正レンズを備え、
前記第二ビームスプリッターから出る第二透過平行ビーム光はその光路に設置された前記補正レンズによってその光路を屈曲された後、その光路前方の投影面に照射されることを特徴とするレーザー墨出器。
【請求項４】
請求項２記載のレーザー墨出器において、該レーザー墨出器には、第三シリンドリカルレンズを備え、
前記第二ビームスプリッターから出る第二透過平行ビーム光はその光路に設置された前記第三シリンドリカルレンズによって扇型の光面になってその光路前方の投影面に照射されることを特徴とするレーザー墨出器。
【請求項５】
請求項４記載のレーザー墨出器において、該レーザー墨出器には、前記第二ビームスプリッターと前記第三シリンドリカルレンズとの間に補正レンズを設置し、前記第二ビームスプリッターから出る第二透過平行ビーム光はその光路に設置された前記補正レンズによってその光路を屈曲された後、その屈曲された光路に設置された前記第三シリンドリカルレンズによって扇型の光面になってその光路前方の投影面に照射されることを特徴とするレーザー墨出器。
【請求項６】
請求項４記載のレーザー墨出器において、該レーザー墨出器には、前記第二ビームスプリッターと前記第三シリンドリカルレンズとの間に反射鏡を設置し、前記第二ビームスプリッターから出る第二透過平行ビーム光はその光路に設置された前記反射鏡によってその光路を反射された後、その反射された光路に設置された前記第三シリンドリカルレンズによって扇型の光面になってその光路前方の投影面に照射されることを特徴とするレーザー墨出器。
【請求項７】
請求項１乃至請求項６のいずれかに記載のレーザー墨出器において、前記レーザー照射装置の波長は、５３２ｎｍの光源を使用していることを特徴とするレーザー墨出器。
【考案の詳細な説明】
【技術分野】
【０００１】
本考案は主に建築・インテリア・内装工事において使用されるレーザー墨出器に関するものである。
【背景技術】
【０００２】
建築・インテリア・内装工事等において墨出し作業を実施する時、近年レーザー光束発生装置を利用したものが多く利用されている。その構成は図１３に示したようなユニットで１種類の単光源で単ライン光束レーザーを照射する方式である。そのような方式のユニットでは、駆動用電源が内蔵されたレーザー照射装置１と、コリメーターレンズ２と、該コリメーターレンズの前方にシリンドリカルレンズ４を設置して、レーザー照射装置１から照射されたレーザー光束がコリメーターレンズ２によって平行ビーム光となり、その平行ビーム光束はシリンドリカルレンズ４によって両側から外に向かって扇形光面となって前方の投影面すなわち壁、床、天井等の墨出作業面にライン状に照射される。そして、同じ墨出作業面に十字の基準ラインが必要な場合或いは他の墨出作業面に同時に基準ラインが欲しい場合は従来の方法としては、特開２００３−２４５８７８号公報に記載されるように、図１３に示したユニットを複数組み合わせて使用していた。
【特許文献１】特開２００３−２４５８７８号公報（段落００１１）
【考案の開示】
【考案が解決しようとする課題】
【０００３】
また、現在市販されているレーザー墨出器が使用しているレーザーユニットの中のレーザー照射装置の波長は６３５ｎｍものが多い。６３５ｎｍの発生装置は安価で消費電力も少ないが一つの基準ラインを作るのに必ず一つの６３５ｎｍレーザー照射装置が必要なのがデメリットとなる。
【０００４】
一方、現在市場には５３２ｎｍのレーザー照射装置が開発されており、人間の肉眼は５３２ｎｍのレーザー光に敏感で見た目にも比較して明るく、認識性が高いことは良く知られている。しかし、６３５ｎｍ波長のものに比較してコストが高く、消費電力も多いので先に述べた方法の場合、製品の原価が上がり市場に普及させるのが難しいという問題があった。
【０００５】
本考案は、上述の欠点を解消するためになされたもので、その目的とするところは、一つのレーザー照射装置から複数の平行ビーム光を照射させることができる経済的なレーザー墨出器を提供することである。
【課題を解決するための手段】
【０００６】
請求項１に係る考案を図面を参照して説明すると、図１に示すように、１体のボディーに駆動電源が内蔵されたレーザー照射装置１と、該レーザー照射装置１から照射されたレーザー光束を平行ビーム光にするコリメーターレンズ２と、該コリメーターレンズ２からの平行ビーム光を扇形光面として前方の投影面にライン状に照射するシリンドリカルレンズ４と、を備えたレーザー墨出器において、該レーザー墨出器には、前記コリメーターレンズ２からの平行ビーム光を透過平行ビーム光ａと反射平行ビーム光bとに分光する第一ビームスプリッター３と、前記反射平行ビーム光ｂを反射させる反射鏡５と、前記シリンドリカルレンズとして第一シリンドリカルレンズ４と該第一シリンドリカルレンズ４と９０度の位置関係に設置される第二シリンドリカルレンズ６と、をさらに備え、前記レーザー照射装置１から照射されたレーザー光束を前記コリメーターレンズ２に通して平行ビーム光にし、該平行ビーム光はその光路に設置された前記ビームスプリッター３によって透過平行ビーム光ａと反射平行ビーム光ｂとに分光され、前記透過平行ビーム光ａはその光路に設置された前記第一シリンドリカルレンズ４によって扇型の光面になって前方の投影面にライン光ｅとして照射される一方、前記反射平行ビーム光ｂはその光路に設置された前記反射鏡５によって前記投影面と同じ方向に反射させ反射平行ビーム光ｂ１とされ、該反射平行ビーム光ｂ１はその光路に設置された前記第二シリンドリカルレンズ６によって前記第一シリンドリカルレンズ４による扇型の光面と直交する扇型の光面になって前記投影面にライン光ｆとして照射されることを特徴とする。
【０００７】
また、請求項２に係る考案を図面を参照して説明すると、図３に示すように、１体のボディーに駆動電源が内蔵されたレーザー照射装置１と、該レーザー照射装置１から照射されたレーザー光束を平行ビーム光にするコリメーターレンズ２と、該コリメーターレンズか２らの平行ビーム光を扇形光面として前方の投影面にライン状に照射するシリンドリカルレンズ４と、を備えたレーザー墨出器において、該レーザー墨出器には、前記コリメーターレンズ２からの平行ビーム光を透過平行ビーム光ａと反射平行ビーム光ｂとに分光する第一ビームスプリッター３と、該第一ビームスプリッター３によって分光された反射平行ビーム光ｂをさらに透過平行ビーム光ｂ２と反射平行ビーム光ｂ１とに分光する第二ビームスプリッター７と、前記シリンドリカルレンズとして第一シリンドリカルレンズ４と該第一シリンドリカルレンズ４と９０度の位置関係に設置される第二シリンドリカルレンズ６と、をさらに備え、前記レーザー照射装置１から照射されたレーザー光束を前記コリメーターレンズ２に通して平行ビーム光にし、該平行ビーム光はその光路に設置された前記第一ビームスプリッター３によって透過平行ビーム光ａと反射平行ビーム光ｂとに分光され、前記透過平行ビーム光ａはその光路に設置された前記第一シリンドリカルレンズ４によって扇型の光面になって前方の投影面にライン光ｅとして照射される一方、前記反射平行ビーム光ｂはその光路に設置された前記第二ビームスプリター７によって第二透過平行ビーム光ｂ２と前記投影面と同じ方向に反射させた第二反射平行ビーム光ｂ１とに分光され、該第二反射平行ビーム光ｂ１はその光路に設置された前記第二シリンドリカルレンズ６によって前記第一シリンドリカルレンズ４による扇型の光面と直交する扇型の光面になって前記投影面にライン光ｆとして照射されることを特徴とする。なお、図５に示すように、第二ビームスプリッター７を第一ビームスプリッター３の下方に設置しても良い。
【０００８】
また、請求項３に係る考案を図面を参照して説明すると、図９（ただし、第三シリンドリカルレンズ８を除いた状態）に示すように、請求項２記載のレーザー墨出器において、該レーザー墨出器には、補正レンズ９を備え、前記第二ビームスプリッター７から出る第二透過平行ビーム光ｂ２はその光路に設置された前記補正レンズ９によってその光路を屈曲された後、その光路前方の投影面に照射されることを特徴とする。
【０００９】
また、請求項４に係る考案を図面を参照して説明すると、図７に示すように、請求項２記載のレーザー墨出器において、該レーザー墨出器には、第三シリンドリカルレンズ８を備え、前記第二ビームスプリッター７から出る第二透過平行ビーム光ｂ２はその光路に設置された前記第三シリンドリカルレンズ８によって扇型の光面になってその光路前方の投影面にライン光ｇとして照射されることを特徴とする。
【００１０】
また、請求項５に係る考案を図面を参照して説明すると、図９に示すように、請求項３記載のレーザー墨出器において、該レーザー墨出器には、前記第二ビームスプリッター７と前記第三シリンドリカルレンズ８との間に補正レンズ９を設置し、前記第二ビームスプリッター７から出る第二透過平行ビーム光ｂ２はその光路に設置された前記補正レンズ９によってその光路を屈曲された後、その屈曲された光路に設置された前記第三シリンドリカルレンズ８によって扇型の光面になってその光路前方の投影面にライン光ｇとして照射されることを特徴とする。
【００１１】
また、請求項６に係る考案を図面を参照して説明すると、図１１に示すように、請求項３記載のレーザー墨出器において、該レーザー墨出器には、前記第二ビームスプリッター７と前記第三シリンドリカルレンズ８との間に反射鏡１０を設置し、前記第二ビームスプリッター７から出る第二透過平行ビーム光ｂ２はその光路に設置された前記反射鏡１０によってその光路を反射された後、その反射された光路に設置された前記第三シリンドリカルレンズ８によって扇型の光面になってその光路前方の投影面にライン光ｊとして照射されることを特徴とする。
【００１２】
更に、請求項７に係る考案は、請求項１乃至請求項６のいずれかに記載のレーザー墨出器において、前記レーザー照射装置の波長は、５３２ｎｍの光源を使用していることを特徴とする。
【考案の効果】
【００１３】
請求項１から請求項６に係る考案においては、１つのレーザー照射装置を使用して複数のレーザー光束の照射が実現できるため、複数のレーザーラインを照射するレーザー墨出器の小型化が可能となり、また製造原価を縮小させ、要する消費電力を減らすことができる。また、請求項２又は請求項３に係る考案においては、天井又は床にポイントを照射することもでき、請求項４から請求項６に係る考案においては、クロスラインが照射される投影面と異なる面にレーザーラインを照射することができ、特に、請求項５に係る考案では、異なる面に照射されるレーザーラインの位置を任意の位置に照射でき、請求項６に係る考案では、クロスラインが照射される投影面の隣り合うほぼ垂直方向の面（多少傾斜を有していても良い。）にレーザーラインを照射することができる。更に、請求項７に係る考案においては、認識性が高いレーザーライン光とすることができる。
【考案を実施するための最良の形態】
【００１４】
以下、本考案の最良の実施形態を図面を参照しながら説明する。
〔実施例1；請求項１の考案に相当〕
図1、図2に示したように駆動電源付き波長５３２ｎｍのレーザー照射装置1とコリメーターレンズ2を有するレーザー墨出器においてレーザー照射装置1から照射されたレーザー光束をコリメーターレンズ2に通して平行ビーム光束となる。平行ビーム光束はその光路に設置された第一ビームスプリッター３によって透過平行ビーム光束ａと反射平行ビーム光束bに分光される。透過平行ビーム光束ａはその光路に設置された第一シリンドリカルレンズ４によって扇型の光面になって、その光路前方にある第一の壁面（投影面）にレーザーラインｅを照射する。
【００１５】
反射平行ビーム光束bはその光路に設置された反射鏡５によって先ほどの第一の壁面（投影面）に向かって反射させ反射平行ビーム光ｂ１を形成させる。反射平行ビーム光ｂ１はその光路に設置された第二シリンドリカルレンズ６によって扇型の光面になって先ほどと同じ前方の第一の壁面（投影面）にレーザーラインｆを照射する。第一シリンドリカルレンズ４と第二シリンドリカルレンズ６は互いに９０°関係位置に設置している。第一壁面に照射された２本のレーザーラインｅ、ｆは９０°関係でクロスしている。
【００１６】
〔第２実施例；請求項２の考案に相当〕
図３、図４に示したように駆動電源付き波長５３２ｎｍのレーザー照射装置１とコリメーターレンズ２を有するレーザー墨出器においてレーザー照射装置１から照射されたレーザー光束をコリメーターレンズ２に通して平行ビーム光束となる。平行ビーム光束はその光路に設置された第一ビームスプリッター３によって透過平行ビーム光束ａと反射平行ビーム光束ｂに分光される。透過平行ビーム光束ａはその光路に設置された第一シリンドリカルレンズ４によって扇形の光面になって、その光路前方にある第一の壁面（投影面）にレーザーラインｅを照射する。反射平行ビーム光束ｂはその光路に設置された第一ビームスプリッター３の上方にある第二ビームスプリッター７によって透過平行ビーム光束ｂ２と先ほどの第一の壁面（投影面）に向かって反射させた反射平行ビーム光束ｂ１に分光される。反射平行ビーム光束ｂ１はその光路に設置された第二シリンドリカルレンズ６によって扇形の光面になって先ほどと同じ前方の第一の壁面（投影面）にレーザーラインｆを照射する。扇形の光面は同時に天井面にレーザーラインｆ１を照射させる。第一シリンドリカルレンズ４と第二シリンドリカルレンズ６は互いに９０°関係位置に設置している。第一壁面に照射された２本のレーザーラインｅ、ｆは９０°関係でクロスしている。第二ビームスプリッター７から照射された透過平行ビーム光束ｂ２はその光路前方にある投影面すなわち天井面にポイントｈを照射させる。
【００１７】
〔実施例３；請求項２の考案に相当〕
図５、図６で示したように実施例３は基本的に実施例２と同じであるが唯一異なる点は第二ビームスプリッター７は第一ビームスプリッター３の下方にあるため地面にポイントｈを照射させる。
【００１８】
〔実施例４；請求項４の考案に相当〕
図７、図８で示したように実施例４は実施例２の状態の上で第二ビームスプリッター７によって照射された透過平行ビーム光束ｂ２はその光路上に設置された第二ビームスプリッター７の上方にある第三シリンドリカルレンズ８によって扇形の光面となって、その光路前方にある投影面すなわち天井面にレーザーラインｇを形成させる。第一シリンドリカルレンズ４、第二シリンドリカルレンズ６と第三シリンドリカルレンズ８はそれぞれ互いに９０°関係位置に設置している。第一壁面に２本のレーザーラインｅ、ｆが９０°関係にクロスしている。天井面の２本のレーザーラインｇ、ｆ１も９０°関係にクロスしている。尚、ｆ１レーザーラインは第二シリンドリカルレンズ６によって扇形の光面となって天井面に形成されたレーザーラインである。
【００１９】
〔実施例５；請求項３の考案に相当〕
（実施図省略、図９を参照のこと）
実施例５は実施例２の状態の上で第二ビームスプリッター７によって照射された透過平行ビーム光束ｂ２はその光路上に設置された第二ビームスプリッター７の上方にある補正レンズ９によって、その光路前方にある投影面すなわち天井面にポイントを形成させる。当ポイントの位置は実施例２（図３参照）のポイントｈとの位置とはズレがある。
【００２０】
〔実施例６；請求項５の考案に相当〕
図９、図１０で示したように実施例６は実施例５の状態の上で補正レンズ9によって屈折された平行ビーム光束ｃはその光路に設置された第三シリンドリカルレンズ８によって扇形の光面となって、その光路前方にある投影面すなわち天井面にレーザーラインｇを形成させる。
【００２１】
〔実施例７；請求項６の考案に相当〕
図１１、図１２に示したように実施例７は実施例２の状態の上で第二ビームスプリッター７によって照射された透過平行ビーム光束ｂ２はその光路上に設置された第二ビームスプリッター７の上方にある反射鏡１０によって上述した第一壁面と隣接しているほぼ垂直な壁面に向かって反射平行ビーム光束ｄを形成させる。反射平行ビーム光束ｄはその光路上に設置された第三シリンドリカルレンズ８によって扇形の光面になって、その光路前方の投影面すなわち上述した第一壁面と隣接しているほぼ垂直な壁面にレーザーラインｊを形成させる。レーザーラインｆ１は第二シリンドリカルレンズ６によって扇形の光面となって天井面に形成されたレーザーラインであり天井面に照射される２本のレーザーラインｊ、ｆ１は９０°関係でクロスしている。
【図面の簡単な説明】
【００２２】
【図１】実施例１の概略構成である。
【図２】実施例１のライン光図である。
【図３】実施例２の概略構成である
【図４】実施例2のライン光図である。
【図５】実施例３の概略構成である。
【図６】実施例3のライン光図である。
【図７】実施例4の概略構成である。
【図８】実施例4のライン光図である。
【図９】実施例6の概略構成である。
【図１０】実施例6のライン光図である。
【図１１】実施例7の概略構成である。
【図１２】実施例7のライン光図である。
【図１３】従来の単光源単ライン光束レーザーユニットの概略構成である。
【符号の説明】
【００２３】
１  レーザー照射装置
２  コリメーターレンズ
３  第一ビームスプリッター
４  第一シリンドリカルレンズ
５  反射鏡
６  第二シリンドリカルレンズ
７  第二ビームスプリッター
８  第三シリンドリカルレンズ
９  補正レンズ
１０  反射鏡
【図１】
0003121696.tif 000003
【図２】
0003121696.tif 000004
【図３】
0003121696.tif 000005
【図４】
0003121696.tif 000006
【図５】
0003121696.tif 000007
【図６】
0003121696.tif 000008
【図７】
0003121696.tif 000009
【図８】
0003121696.tif 000010
【図９】
0003121696.tif 000011
【図１０】
0003121696.tif 000012
【図１１】
0003121696.tif 000013
【図１２】
0003121696.tif 000014
【図１３】
0003121696.tif 000015